(57)【特許請求の範囲】
【請求項１】
温水を加熱して供給する温水供給機の一対の温水口に着脱自在に接続される一対のプラグと、
前記温水の熱を放出し、ケーシングから突出する一対の接続管を備えた放熱機と、
前記一対の接続管と前記一対のプラグとに各々着脱自在に接続される一対の温水ホースと、
前記一対のプラグを包囲するように前記プラグの各々に装着されるプラグカバーと、
前記一対の温水ホースを包囲して前記温水ホースの各々に沿って延び、前記プラグカバーと前記ケーシングとの間の前記温水ホース及び前記接続管の接続状態での合計長さよりも長く設定され、軸方向に弾性伸縮可能な蛇腹管状のホースカバーと、
を具備する放熱装置。
【請求項２】
温水を加熱して供給する温水供給機の一対の温水口に着脱自在に接続される一対のプラグと、前記温水の熱を放出する放熱機のケーシングに突出状態に備えられた一対の接続管と、前記プラグと前記接続管とに各々着脱自在に接続された一対の温水ホースと、前記一対のプラグを包囲するように前記プラグの各々に装着されたプラグカバーと、からなる配管構造に対してホースカバーを取付けるホースカバー取付方法であって、
前記一対の接続管から前記一対の温水ホースを取り外す第１工程と、
前記取り外された一対の温水ホースに対して、前記プラグカバーと前記ケーシングとの間の前記温水ホース及び前記接続管の接続状態での合計長さよりも長く設定され且つ軸方向に弾性伸縮可能な蛇腹管状のホースカバーを挿通させる第２工程と、
前記挿通されたホースカバーを前記軸方向に圧縮した状態に於いて前記一対の温水ホースを前記一対の接続管に接続する第３工程と、
前記ホースカバーの前記圧縮を解除する第４工程と、
を具備するホースカバー取付方法。
【発明の詳細な説明】
【０００１】
【発明の属する技術分野】
この発明は、放熱装置、特に、温水供給機に着脱自在に接続される一対のプラグ、放熱機及び両者を継ぐ配管構造を具備する放熱装置に関するものである。更に、ホースカバー取付方法、特に、前記放熱装置の配管構造にホースカバーを取付ける為のホースカバー取付方法に関するものである。
【０００２】
【従来の技術】
図１５は、従来の温水暖房装置(9) の一部を示す斜視図である。同図に示す温水暖房装置(9) は、温水を加熱して供給する温水供給機（図示せず）と、温水の熱を放出する放熱機(9a)と、を具備する構成である。
そして、これら温水供給機と放熱機(9a)との間にて温水循環可能とする為に、温水供給機には、一対の温水口（図示せず）が備えられ、放熱機(9a)には、そのケーシングから突出する一対の接続管(93)(94)が備えられている。
【０００３】
又、この温水暖房装置(9) には、前記温水口に着脱自在に接続される一対のプラグ(91)(92)と、接続管(93)(94)とプラグ(91)(92)とに各々着脱自在に接続される一対の温水ホース(95)(96)と、プラグ(91)(92)を包囲するようにプラグ(91)(92)の各々に着脱自在に装着されるプラグカバー(97)と、が備えられている。
尚、プラグ(91)(92)の各々と温水ホース(95)(96)とは、プラグカバー(97)の内部にて接続されている。この為、プラグカバー(97)は、着脱自在に結合される２つの部材からなる。
【０００４】
プラグ(91)(92)が上記温水口に接続された状態では、プラグ(91)(92)、温水ホース(95)(96)及び接続管(93)(94)よりなる配管構造を通じて、温水供給機と放熱機(9a)との間で温水が循環する。そして、温水供給機で付与された熱が放熱機(9a)で放出される。これによって、部屋等が暖房される。
【０００５】
【発明が解決しようとする課題】
ところが、温水ホース(95)(96)には温水が通じているから、過って温水ホース(95)(96)に手などが接触すると、温水ホース(95)(96)内の温水が高温の場合、前記接触した手などのやけどのおそれがある。
【０００６】
請求項１の発明は、温水ホースへの手などの接触を防止した放熱装置を提供することを目的とする。
請求項２の発明は、放熱装置の配管構造にホースカバーを取付ける為のホースカバー取付方法を提供することを目的とする。
【０００７】
【課題を解決するための手段】
請求項１の発明の課題解決手段は、『温水を加熱して供給する温水供給機の一対の温水口に着脱自在に接続される一対のプラグと、
前記温水の熱を放出し、ケーシングから突出する一対の接続管を備えた放熱機と、
前記一対の接続管と前記一対のプラグとに各々着脱自在に接続される一対の温水ホースと、
前記一対のプラグを包囲するように前記プラグの各々に装着されるプラグカバーと、
前記一対の温水ホースを包囲して前記温水ホースの各々に沿って延び、前記プラグカバーと前記ケーシングとの間の前記温水ホース及び前記接続管の接続状態での合計長さよりも長く設定され、軸方向に弾性伸縮可能な蛇腹管状のホースカバーと、
を具備する』ことを特徴とする。
【０００８】
このものでは、ホースカバーが温水ホースを包囲して温水ホースの各々に沿って延びている。そして、このホースカバーは、プラグカバーとケーシングとの間の温水ホース及び接続管の接続状態での合計長さよりも長く設定され且つ軸方向に弾性伸縮可能な蛇腹管状に形成されているから、ホースカバーがプラグカバーとケーシングとに対して加圧された状態に維持される。
従って、温水ホース及び接続管がホースカバーによってカバーされたものとなる。
【０００９】
請求項２の発明の課題解決手段は、『温水を加熱して供給する温水供給機の一対の温水口に着脱自在に接続される一対のプラグと、前記温水の熱を放出する放熱機のケーシングに突出状態に備えられた一対の接続管と、前記プラグと前記接続管とに各々着脱自在に接続された一対の温水ホースと、前記一対のプラグを包囲するように前記プラグの各々に装着されたプラグカバーと、からなる配管構造に対してホースカバーを取付けるホースカバー取付方法であって、
前記一対の接続管から前記一対の温水ホースを取り外す第１工程と、
前記取り外された一対の温水ホースに対して、前記プラグカバーと前記ケーシングとの間の前記温水ホース及び前記接続管の接続状態での合計長さよりも長く設定され且つ軸方向に弾性伸縮可能な蛇腹管状のホースカバーを挿通させる第２工程と、
前記挿通されたホースカバーを前記軸方向に圧縮した状態に於いて前記一対の温水ホースを前記一対の接続管に接続する第３工程と、
前記ホースカバーの前記圧縮を解除する第４工程と、
を具備する』ことを特徴とする。
【００１０】
このものでは、第１工程によって、接続管から温水ホースが取り外され、第２工程によって、前記取り外された一対の温水ホースに対してホースカバーが挿通される。そして、第３工程によって、前記挿通されたホースカバーが軸方向に圧縮された状態に於いて温水ホースが接続管に接続される。この後の第４工程によって、ホースカバーの圧縮が解除される。
【００１１】
このとき、ホースカバーは、プラグカバーと放熱機のケーシングとの間の温水ホース及び接続管の接続状態での合計長さよりも長く設定され且つ軸方向に弾性伸縮可能な蛇腹管状に形成されている。従って、前記圧縮解除によって、ホースカバーがプラグカバーとケーシングとに対して加圧された状態となる。従って、以上の第１〜第４工程によって、温水ホース及び接続管がホースカバーによってカバーされたものとなる。
【００１２】
【発明の効果】
以上説明したように、請求項１の発明では、温水ホース及び接続管がホースカバーによってカバーされるから、温水ホースへの手などの接触が防止される。加えて、接続管への手などの接触が防止される。更に、床面に接近して温水ホースが設置された場合に於いて、温水ホースの熱による床面の変色が防止される。
又、ホースカバーがプラグカバーとケーシングとに対して加圧された状態に維持されるから、ホースカバーから不用意に温水ホースが露出するような不都合が防止され、前記した接触防止が確実となる。
【００１３】
請求項２の発明では、上記した第１〜第４工程によって、温水ホース及び接続管がホースカバーによってカバーされた状態、つまり、ホースカバーが取付けられた状態とすることができる。
【００１４】
【発明の実施の形態】
以下、本願発明の実施の形態を、図面に基づいて説明する。
（参考例）
図１は、本願発明の参考例として、温水暖房装置(100) の構成の概要を示す図であり、図２は、図１の壁面ユニット(1b)の正面図であり、図３は、図１の放熱機(2) の要部を示す斜視図である。
【００１５】
図４は、図１のプラグ(3a)(3b)及びプラグカバー(4) の斜視図であり、図５は、図４のＶーＶ断面図であり、図６は、図３のプラグカバー(4) の第１部材(4a)と蛇腹管(6a)との係合状態を示す図であり、図７は、図４のＶＩＩーＶＩＩ断面図である。
図８は、図１の放熱機(2) 及び接続管カバー(7) の斜視図であり、図９は、図８のＩＸーＩＸ断面図であり、図１０は、図８のＸーＸ断面図である。
【００１６】
［温水暖房装置(100) の構成について］
図１に示すように、温水暖房装置(100) は、屋外にて温水を加熱して屋内に供給する温水供給機(1) と、屋内にて前記温水の熱を放出する放熱機(2) と、を具備する構成である。
温水供給機(1) は、屋外に設置され且つ温水を加熱する加熱機(1a)と、屋内の壁面(81)に設置され且つ屋内に温水を供給する為の壁面ユニット(1b)と、からなる。
【００１７】
そして、加熱機(1a)と壁面ユニット(1b)との間には、温水を循環させる為の一対の導水パイプ(15)(16)と、加熱機(1a)を制御する為の制御信号を伝達する為のリモコンケーブル(18)とが設けられている。更に、加熱機(1a)の電源コード(12)が屋内の電源コンセント(84)に接続されている。
壁面ユニット(1b)には、図２に示すように、ヘッドブロック(14)が備えられている。このヘッドブロック(14)は、導水パイプ(15)(16)の各々に連通する一対の温水口(14a)(14b)と、加熱機(1a)からのリモコンケーブル(18)が電気接続された３つの接続端子(19)とが屋内に露出するように備えられている。更に、このヘッドブロック(14)に於ける温水口(14a)(14b)相互間には、後述の係合レバー(43)に対応する孔部(140) が形成されている。尚、この壁面ユニット(1b)には、ヘッドブロック(14)を被覆できるスライド式の蓋体(17)が備えられている。
【００１８】
放熱機(2) には、図３に示すように、そのケーシング(20)から突出する一対の金属製の接続管(2a)(2b)が備えられている。これら接続管(2a)(2b)の各々は、Ｌ字状に形成されると共に相互に平行となるように配置されている。そして、これら接続管(2a)(2b)の先端部は、ホースエンド(25)(26)となっている。又、ケーシング(20)には、加熱機(1a)に対して制御信号を出力する出力端子(27)が設けられている。又、この放熱機(2) の電源コード(22)が電源コンセント(84)に接続されている。
【００１９】
更に、この温水暖房装置(100) には、図１に示すように、温水口(14a)(14b)の各々に着脱自在に接続される一対のプラグ(3a)(3b)と、これらプラグ(3a)(3b)と接続管(2a)(2b)とに各々着脱自在に接続される一対の温水ホース(5a)(5b)と、プラグ(3a)(3b)を包囲するようにプラグ(3a)(3b)の各々に装着されるプラグカバー(4) と、温水ホース(5a)(5b)を包囲して温水ホース(5a)(5b)に沿って延びるホースカバー(6) としての蛇腹管(6a)と、接続管(2a)(2b)を包囲するように接続管(2a)(2b)に装着される接続管カバー(7) と、が備えられている。尚、蛇腹管(6a)は、プラグカバー(4) 及び接続管カバー(7) に着脱自在に結合されている。
【００２０】
［プラグ(3a)(3b)について］
プラグ(3a)(3b)は、公知の構成であり、図４及び図５に示すように、Ｌ字状の金属製筒体に形成されている。これらプラグ(3a)(3b)と上記の温水口(14a)(14b)とは、これら両者が接続されない状態では閉弁状態に維持され且つ接続された状態では開弁状態となるように構成されている。
【００２１】
又、これらプラグ(3a)(3b)に於ける温水口(14a)(14b)側とは反対側の端部は、ホースエンド(31)(32)となっている。これらホースエンド(31)(32)に温水ホース(5a)(5b)が外嵌しており、これら温水ホース(5a)(5b)は、ホース止め金具(51)(52)によってホースエンド(31)(32)に固定されている。
［温水ホース(5a)(5b)について］
温水ホース(5a)(5b)は、公知の構成であり、合成樹脂製であることから可撓性を有する構成となっている。又、これら温水ホース(5a)(5b)は、相互に独立に形成されている。尚、温水ホース(5a)(5b)は、温水を導く為の耐熱性を有する構成となっている。
【００２２】
［プラグカバー(4) について］
プラグカバー(4) は、図４〜図６に示すように、着脱自在に結合される第１・第２部材(4a)(4b)からなり、プラグカバー(4) の直方体状の主体部を２分割する構成となっている。
第１部材(4a)には、前記主体部から突出する筒体(41)が備えられている。この筒体(41)及び前記主体部によってプラグ(3a)(3b)が包囲されている。そして、プラグ(3a)(3b)を平行に保持する保持体(45)を介してプラグ(3a)(3b)が筒体(41)に着脱自在に結合されている。
【００２３】
そして、第１部材(4a)には、第２部材(4b)側に延びる周壁部(44)が備えられている。これら周壁部(44)が第２部材(4b)の内周面に抜止め状態に係合する構成となっている。この係合によって、第１・第２部材(4a)(4b)が着脱自在に結合されたものとなる。
又、このプラグカバー(4) に於ける温水ホース(5a)(5b)が挿通される端部には、結合状態の第１・第２部材(4a)(4b)に跨って形成される筒部(40)が備えられている。この筒部(40)の内面は、後述の蛇腹管(6a)の外面形状に一致する蛇腹形状に形成されている。
【００２４】
更に、このプラグカバー(4) 内には、上記した保持体(45)に保持される３つの金属製の端子(33)が設けられている。これら端子(33)の各々が上記した壁面ユニット(1b)の接続端子(19)の各々に対応する。又、このプラグカバー(4) 内には、端子(33)の各々に電気接続されたリモコンケーブル(34)が配置され、このリモコンケーブル(34)に於ける端子(33)の反対側の端部には接続端子(340) が設けられている。この接続端子(340) に対して、筒部(40)を通じてプラグカバー(4) 内に延びるリモコンケーブル(55)の端部の接続端子(550) が着脱自在に接続されている。
【００２５】
又、このプラグカバー(4) には、プラグ(3a)(3b)が上記の温水口(14a)(14b)に接続された際に、ヘッドブロック(14)の孔部(140) に抜止め状態に係合する係合レバー(43)と、前記係合が解除されるように係合レバー(43)を動かす為の解除ボタン(42)と、が備えられている。前記係合によって、プラグ(3a)(3b)と温水口(14a)(14b)との接続が維持され、壁面ユニット(1b)からのプラグ(3a)(3b)の脱落が防止されている。
【００２６】
［蛇腹管(6a)について］
蛇腹管(6a)は、合成樹脂製であることから可撓性を有すると共に軸方向に弾性伸縮可能な構成となっている。そして、この蛇腹管(6a)の断面形状は、図７に示すように、円形に対する扁平形状であって長径方向に平行な一対の対向部分を有する形状に形成されている。
【００２７】
この蛇腹管(6a)には、温水ホース(5a)(5b)とリモコンケーブル(55)とが挿通されている。尚、リモコンケーブル(55)は、温水ホース(5a)(5b)に対して独立に形成され、温水ホース(5a)(5b)に添って配置されている。
この蛇腹管(6a)は、上記したように、その外面形状が上記の筒部(40)の内面形状に一致しているから、筒部(40)に入り込んだ状態で筒部(40)に対して抜止め状態に係合する。この係合によって、蛇腹管(6a)がプラグカバー(4) に結合されている。
【００２８】
［接続管カバー(7) について］
接続管カバー(7) は、図８〜図１０に示すように、接続管(2a)(2b)を挟んで対向し且つ着脱自在に結合される第３・第４部材(7a)(7b)からなり、全体としてＬ字状の筒体に形成されている。この接続管カバー(7) によって、ホースエンド(25)(26)を含む接続管(2a)(2b)の全体が包囲されている。尚、ホースエンド(25)(26)には、温水ホース(5a)(5b)が外嵌しており、これら温水ホース(5a)(5b)は、ホース止め金具(53)(54)によって接続管(2a)(2b)に固定されている。
【００２９】
第３部材(7a)には、第４部材(7b)側に突出する突片(75)(76)が形成され、第４部材(7b)には、突片(75)(76)が入り込んで抜止め状態に係合する凹部(77)(78)が形成されている。これら突片(75)(76)と凹部(77)(78)との係合によって、第３・第４部材(7a)(7b)が着脱自在に結合されている。
又、第３・第４部材(7a)(7b)には、これらが結合された状態で接続管(2a)(2b)を挟んで保持する一対の保持板(71)(72)が備えられている。これら保持板(71)(72)の各々は、接続管(2a)(2b)の外周面に添う円弧状部分を有している。従って、第３・第４部材(7a)(7b)が結合された状態では、これら保持板(71)(72)と接続管(2a)(2b)との摩擦力によって、接続管(2a)(2b)に対してこの接続管カバー(7) が装着されたものとなる。尚、この装着状態では、第３・第４部材(7a)(7b)が放熱機(2) のケーシング(20)に当接した状態とする。
【００３０】
そして、この接続管カバー(7) に於ける温水ホース(5a)(5b)が挿通される端部には、結合状態の第３・第４部材(7a)(7b)に跨って形成される筒部(70)が備えられている。この筒部(70)の内面は、蛇腹管(6a)の外面形状に一致する蛇腹形状に形成されている。従って、蛇腹管(6a)が筒部(70)に入り込んだ状態で筒部(70)に対して抜止め状態に係合する。この係合によって、蛇腹管(6a)が接続管カバー(7) に結合されている。
【００３１】
更に、この接続管カバー(7) 内には、蛇腹管(6a)から筒部(70)を通じてリモコンケーブル(55)が入り込んでいる。そして、第３部材(7a)に於けるケーシング(20)側の端部には、リモコンケーブル(55)を挿通させる為の切欠部(73)が形成されている。これによって、この接続管カバー(7) にリモコンケーブル(55)が挿通した状態となっている。このリモコンケーブル(55)の端部の接続端子(551) がケーシング(20)の出力端子(27)に着脱自在に接続されている。
【００３２】
［温水暖房装置(100) の組立について］
この温水暖房装置(100) を組立てる際には、蛇腹管(6a)に温水ホース(5a)(5b)が挿通され且つ温水ホース(5a)(5b)がプラグ(3a)(3b)と接続管(2a)(2b)とに各々接続された状態とする。尚、蛇腹管(6a)には、リモコンケーブル(55)も挿通された状態とする。
【００３３】
そして、プラグ(3a)(3b)を保持体(45)を介してプラグカバー(4) の第１部材(4a)に装着し、この状態で、第１部材(4a)と第２部材(4b)とを結合させる。この結合によって、プラグ(3a)(3b)がプラグカバー(4) によって包囲されたものとなる。
これら第１・第２部材(4a)(4b)の結合に際しては、第１・第２部材(4a)(4b)の一方に於ける筒部(40)の構成部分に蛇腹管(6a)の端部を嵌め合わせた状態（図６の状態）で、第１・第２部材(4a)(4b)を結合させる。これによって、第１・第２部材(4a)(4b)の他方に於ける筒部(40)の構成部分にも蛇腹管(6a)の端部が嵌め合わされた状態となる。この状態では、筒部(40)の内面に蛇腹管(6a)が抜止め状態に係合した状態となり、蛇腹管(6a)とプラグカバー(4) とが結合されたものとなる。尚、リモコンケーブル(55)の接続端子(550) をプラグカバー(4) 内のリモコンケーブル(34)の接続端子(340) する。
【００３４】
又、接続管カバー(7) の第３・第４部材(7a)(7b)を、保持板(71)(72)が接続管(2a)(2b)を挟持し且つケーシング(20)に当接した状態となるように、結合する。この結合によって、接続管(2a)(2b)が接続管カバー(7) によって包囲されたものとなる。尚、リモコンケーブル(55)を接続管カバー(7) の切欠部(73)に挿通させて、リモコンケーブル(55)の接続端子(551) をケーシング(20)の出力端子(27)に接続する。
【００３５】
第３・第４部材(7a)(7b)の結合に際しては、第３・第４部材(7a)(7b)の一方に於ける筒部(70)の構成部分に蛇腹管(6a)の端部を嵌め合わせた状態で、第３・第４部材(7a)(7b)を結合させる。これによって、第３・第４部材(7a)(7b)の他方に於ける筒部(70)の構成部分にも蛇腹管(6a)の端部が嵌め合わされた状態となる。この状態では、筒部(70)の内面に蛇腹管(6a)が抜止め状態に係合して、蛇腹管(6a)と接続管カバー(7) とが結合されたものとなる。
【００３６】
これによって、プラグ(3a)(3b)、温水ホース(5a)(5b)、接続管(2a)(2b)からなる配管構造が、プラグカバー(4) 、蛇腹管(6a)、接続管カバー(7) からなる配管カバーによってカバーされたものとなる。
尚、従来のもののように、プラグ(3a)(3b)、温水ホース(5a)(5b)、接続管(2a)(2b)からなる配管構造を備え且つ筒部(40)を備えないプラグカバーによってプラグ(3a)(3b)が包囲された既設の温水暖房装置に対して、この配管カバーを装着することも考えられる。
【００３７】
この時には、筒部(40)のないプラグカバーをプラグ(3a)(3b)から取り外すと共に、プラグ(3a)(3b)及び接続管(2a)(2b)の一方から温水ホース(5a)(5b)を取り外す。この状態で、温水ホース(5a)(5b)に蛇腹管(6a)を挿通させて前記取り外された温水ホース(5a)(5b)を前記一方に対して再び接続する。そして、上記と同様にして、プラグ(3a)(3b)に筒部(40)を備えたプラグカバー(4) を装着すると共に、接続管(2a)(2b)に接続管カバー(7) を装着する。又、前記装着時には、上記と同様にして、蛇腹管(6a)の一方端部をプラグカバー(4) に結合すると共に、蛇腹管(6a)の他方端部を接続管カバー(7) に結合する。
【００３８】
このものでは、筒部(40)の内面に蛇腹管(6a)が係合する構成であるから、前記係合状態を外部から見ることができないが、これら両者の結合に際して、第１・第２部材(4a)(4b)の一方に於ける筒部(40)の構成部分に蛇腹管(6a)を嵌め合わせた状態で、第１・第２部材(4a)(4b)を結合させるから、前記係合を確実にできる。
【００３９】
又、筒部(70)の内面に蛇腹管(6a)が係合する構成であるから、前記係合状態を外部から見ることができないが、これら両者の結合に際して、第３・第４部材(7a)(7b)の一方に於ける筒部(70)の構成部分に蛇腹管(6a)を嵌め合わせた状態で、第３・第４部材(7a)(7b)を結合させるから、前記係合を確実にできる。
［温水暖房装置(100) の使用について］
この温水暖房装置(100) を使用する際には、プラグカバー(4) が装着されたプラグ(3a)(3b)を壁面ユニット(1b)の温水口(14a)(14b)に接続する。この接続状態では、壁面ユニット(1b)と放熱機(2) との間に於いて、プラグ(3a)(3b)、温水ホース(5a)(5b)及び接続管(2a)(2b)からなる配管構造を介して温水が循環する。尚、前記接続状態では、上記のプラグカバー(4) 側の端子(33)の各々が壁面ユニット(1b)の接続端子(19)の各々に接続されることから、放熱機(2) と壁面ユニット(1b)とがリモコンケーブル(55)を介して電気接続されたものとなり、放熱機(2)からの制御信号が加熱機(1a)に伝達される。
【００４０】
このものでは、前記した温水循環によって、プラグ(3a)(3b)、温水ホース(5a)(5b)及び接続管(2a)(2b)が熱せられたものとなるが、プラグ(3a)(3b)、温水ホース(5a)(5b)及び接続管(2a)(2b)からなる配管構造が、プラグカバー(4) 、蛇腹管(6a)及び接続管カバー(7) からなる配管カバーによってカバーされたものとなるから、温水ホース(5a)(5b)への手などの接触が防止されている。これによって、温水ホース(5a)(5b)内の温水が高温であっても前記接触による手のやけど等のおそれがない。
【００４１】
又、温水ホース(5a)(5b)が床面に接近して設置された場合に於いても、温水ホース(5a)(5b)が蛇腹管(6a)によりカバーされているから、温水ホース(5a)(5b)の熱による床面の変色が防止される。
そして、プラグカバー(4) がプラグ(3a)(3b)を包囲するから、プラグ(3a)(3b)に対しても手などの接触が防止され、又、接続管カバー(7) が接続管(2a)(2b)を包囲するから、接続管(2a)(2b)に対しても手などの接触が防止されている。
【００４２】
更に、蛇腹管(6a)は、プラグ(3a)(3b)に装着されたプラグカバー(4) と接続管(2a)(2b)に装着された接続管カバー(7) とに結合されるから、蛇腹管(6a)から不用意に温水ホース(5a)(5b)が露出するような不都合が防止され、前記した接触防止が確実である。
又、プラグ(3a)(3b)、温水ホース(5a)(5b)及び接続管(2a)(2b)からなる配管構造が、プラグカバー(4) 、蛇腹管(6a)及び接続管カバー(7) からなる配管カバーによってカバーされるから、前記配管構造の断熱が良好となり、温水循環時の熱の無駄が抑えられる。又、温水ホース(5a)(5b)の温水循環時の合成樹脂の臭いが抑えられる。
【００４３】
更に、温水ホース(5a)(5b)及び蛇腹管(6a)が可撓性を有するから、放熱機(2)を移動させるときの自由度が大きなものとなっている。
又、温水ホース(5a)(5b)が相互に独立であり且つ温水ホース(5a)(5b)とは独立にリモコンケーブル(55)が配置されているが、これら温水ホース(5a)(5b)とリモコンケーブル(55)とが蛇腹管(6a)に包囲されるから、温水ホース(5a)(5b)とリモコンケーブル(55)とを一体とする為の構成を別に設ける必要がない。従って、温水ホース(5a)(5b)とリモコンケーブル(55)のコストが抑えられる。又、外観上の見栄えが良好となる。更に、リモコンケーブル(55)が蛇腹管(6a)内に配置されても配置されなくても前記一体とする為の構成を別に設ける必要がない。
【００４４】
（実施の形態）
図１１は、本願発明の実施の形態に於ける温水暖房装置(100) の一部の構成を示す図である。
上記の参考例では、温水ホース(5a)(5b)及び接続管(2a)(2b)を蛇腹管(6a)及び接続管カバー(7) で包囲したが、これを、同図に示すように、蛇腹管(6a)のみで包囲する構成とする。
この場合、プラグカバー(4) は、筒部(40)を有しない構成となっている。そして、蛇腹管(6a)は、プラグカバー(4) とケーシング(20)との間の温水ホース(5a)(5b)及び接続管(2a)(2b)の接続状態での合計長さ(L) よりも長く設定されている。又、蛇腹管(6a)は、上記したように、軸方向に弾性伸縮可能となっている。従って、蛇腹管(6a)は、プラグカバー(4) 及びケーシング(20)に対して加圧された状態となる。
【００４５】
これによって、温水ホース(5a)(5b)及び接続管(2a)(2b)が蛇腹管(6a)によってカバーされたものとなる。従って、温水ホース(5a)(5b)への手などの接触が防止される。加えて、接続管(2a)(2b)への手などの接触も防止されている。
又、蛇腹管(6a)がプラグカバー(4) 及びケーシング(20)に対して加圧された状態となるから、蛇腹管(6a)から不用意に温水ホース(5a)(5b)が露出するような不都合が防止され、前記した接触防止が確実となっている。
【００４６】
このものでは、プラグ(3a)(3b)、接続管(2a)(2b)を含む放熱機(2) 、温水ホース(5a)(5b)、プラグカバー(4) 、蛇腹管(6a)が既述請求項１に記載の「放熱装置」に相当する。
更に、既設の従来の温水暖房装置に、この蛇腹管(6a)を装着する際には、先ず、接続管(2a)(2b)から温水ホース(5a)(5b)を取り外す（既述の「第１工程」に相当）。そして、前記取り外された温水ホース(5a)(5b)に対して蛇腹管(6a)を挿通させる（既述の「第２工程」に相当）。更に、前記挿通された蛇腹管(6a)が軸方向に圧縮された状態に於いて温水ホース(5a)(5b)を接続管(2a)(2b)に接続する（既述の「第３工程」に相当）。次に、前記圧縮を解除する（既述の「第４工程」に相当）と、蛇腹管(6a)が軸方向に伸長して、上記したプラグカバー(4) 及びケーシング(20)に加圧された状態となる。
【００４７】
（他の実施の形態）
１．図１２は、本願発明の更に他の実施の形態に於けるプラグカバー(4) と蛇腹管(6a)との接続部の断面図である。上記の実施の形態では、蛇腹管(6a)が筒部(40)の内面に係合する構成としたが、これを、同図に示すように、筒部(40)の外面に係合する構成としてもよい。この場合、筒部(40)に対して軸方向に蛇腹管(6a)を押圧することによって、蛇腹管(6a)を筒部(40)に外嵌させると、筒部(40)の外面に蛇腹管(6a)が係合したものとなる。このものでは、プラグカバー(4) の筒部(40)の外面と蛇腹管(6a)との係合の状態を外部から見ることができ、前記係合を確実にできる。
【００４８】
２．上記の実施の形態では、筒部(40)をプラグカバー(4) の主体部から突出させたが、筒部(40)をプラグカバー(4) の内部に配置してもよい。この場合、筒部(40)の内面に蛇腹管(6a)が係合される構成とするとよい。尚、接続管カバー(7)の筒部(70)についても同様である。
又、筒部(40)に於いて蛇腹管(6a)が係合する面を、上記した蛇腹形状以外の形状、例えば、蛇腹管(6a)が係合する突片を備えた形状としてもよい。
【００４９】
３．上記の実施の形態では、リモコンケーブル(55)を備える構成としたが、これを、リモコンケーブル(55)のない構成としてもよい。
４．上記の実施の形態では、加熱供給機(1) を加熱機(1a)と壁面ユニット(1b)とから構成したが、これらが一体に形成された構成としてもよい。
５．図１３は、本願発明の更に他の実施の形態に於けるホースカバー(6) の説明図であり、図１４は、本願発明の更に他の実施の形態に於けるホースカバー(6) の説明図である。
【００５０】
上記の実施の形態では、ホースカバー(6) を、蛇腹管(6a)としたが、これを、図１３のように、合成樹脂製の帯状材料を螺旋形状に接合して成形された管(6b)としてもよい。又、図１４のような、バネ(6c)としてもよい。この場合、バネ(6c)の構成線材が軸方向に密に並ぶものでも、間隔をあけて並ぶものでもよい。
【図面の簡単な説明】
【図１】  温水暖房装置(100) の構成の概要を示す図
【図２】  図１の壁面ユニット(1b)の正面図
【図３】  図１の放熱機(2) の要部を示す斜視図
【図４】  図１のプラグ(3a)(3b)及びプラグカバー(4) の斜視図
【図５】  図４のＶーＶ断面図
【図６】  図３のプラグカバー(4) の第１部材(4a)と蛇腹管(6a)との係合状態を示す図
【図７】  図４のＶＩＩーＶＩＩ断面図
【図８】  図１の放熱機(2) 及び接続管カバー(7) の斜視図
【図９】  図８のＩＸーＩＸ断面図
【図１０】  図８のＸーＸ断面図
【図１１】  本願発明の実施の形態に於ける温水暖房装置(100) の一部の構成を示す図
【図１２】  本願発明の更に他の実施の形態に於けるプラグカバー(4) と蛇腹管(6a)との接続部の断面図
【図１３】  本願発明の更に他の実施の形態に於けるホースカバー(6) の説明図
【図１４】  本願発明の更に他の実施の形態に於けるホースカバー(6) の説明図
【図１５】  従来の温水暖房装置(9) の一部を示す斜視図
【符号の説明】
(100) ・・・温水暖房装置
(1) ・・・温水供給機
(1a)・・・加熱機
(1b)・・・壁面ユニット
(2) ・・・放熱機
(14a)(14b)・・・温水口
(3a)(3b)・・・プラグ
(2a)(2b)・・・接続管
(20)・・・ケーシング
(5a)(5b)・・・温水ホース
(4) ・・・プラグカバー
(6) ・・・ホースカバー
(6a)・・・蛇腹管
(7) ・・・接続管カバー
【図１】
0003895856.tif 000002
【図２】
0003895856.tif 000003
【図３】
0003895856.tif 000004
【図４】
0003895856.tif 000005
【図５】
0003895856.tif 000006
【図６】
0003895856.tif 000007
【図７】
0003895856.tif 000008
【図８】
0003895856.tif 000009
【図９】
0003895856.tif 000010
【図１０】
0003895856.tif 000011
【図１１】
0003895856.tif 000012
【図１２】
0003895856.tif 000013
【図１３】
0003895856.tif 000014
【図１４】
0003895856.tif 000015
【図１５】
0003895856.tif 000016